(57)【特許請求の範囲】
【請求項１】
感光体上の静電像をトナーで現像する工程と、感光体にクリーニングブレードを当接させて感光体の表面の付着物を清掃する工程と、を有する画像形成方法において、
新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂとを、前記クリーニングブレードと前記感光体の当接部に供給し、
前記無機粒子Ａの個数平均粒子径が前記無機粒子Ｂの個数平均粒子径の１．２倍以上２．５倍以下であることを特徴とする画像形成方法。
【請求項２】
前記感光体の表面に硬化型樹脂を６０重量％以上含有し、前記感光体の表面の油溜り深さＲｖｋが０．０３μｍ以上０．１０μｍ以下であることを特徴とする請求項１に記載の画像形成方法。
【請求項３】
感光体上の静電像をトナーで現像する工程と、感光体にクリーニングブレードを当接させて感光体の表面の付着物を清掃する工程と、を有する画像形成方法において、
前記感光体の表面に硬化型樹脂を６０重量％以上含有し、前記感光体の表面の油溜り深さＲｖｋが０．０３μｍ以上０．１０μｍ以下であり、
新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂとを、前記クリーニングブレードと前記感光体の当接部に供給することを特徴とする画像形成方法。
【請求項４】
前記無機粒子Ａが炭酸カルシウムを主成分とすることを特徴とする請求項１〜３のいずれか一項に記載の画像形成方法。
【請求項５】
前記無機粒子Ｂが酸化チタンを主成分とすることを特徴とする請求項１〜４のいずれか一項に記載の画像形成方法。
【請求項６】
前記無機粒子Ｂが酸化アルミニウムを主成分とすることを特徴とする請求項１〜４のいずれか一項に記載の画像形成方法。
【請求項７】
前記トナーの平均円形度が０．９５０以上０．９７０以下であることを特徴とする請求項１〜６のいずれか一項に記載の画像形成方法。
【請求項８】
前記感光体の静止時における、前記クリーニングブレードと前記感光体との当接ニップ幅が５０μｍ以上１２０μｍ以下、平均当接面圧が０．１Ｎ／ｍｍ２以上０．５Ｎ／ｍｍ２以下であることを特徴とする請求項１〜７のいずれか一項に記載の画像形成方法。
【請求項９】
前記清掃する工程では複数の前記クリーニングブレードが前記感光体に当接され、前記感光体の静止時における、前記複数のクリーニングブレードの内の１つのクリーニングブレードの前記感光体との当接ニップ幅が５μｍ以上３０μｍ以下、平均当接面圧が０．３Ｎ／ｍｍ２以上１．０Ｎ／ｍｍ２以下であることを特徴とする請求項８に記載の画像形成方法。
【請求項１０】
感光体と、前記感光体上の静電像をトナーで現像する現像器と、前記感光体上にトナーで形成されたトナー像を被転写体に転写する転写手段と、前記感光体に当接するクリーニングブレードを備え前記感光体の表面の付着物を清掃するクリーニング装置と、を有する画像形成装置において、
前記現像器は、新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂと、が外添されたトナーで前記感光体上の静電像を現像し、前記転写後に前記感光体上に残留した、前記無機粒子Ａ及び前記無機粒子Ｂを含むトナーが、前記クリーニングブレードと前記感光体の当接部に供給され、
前記無機粒子Ａの個数平均粒子径が前記無機粒子Ｂの個数平均粒子径の１．２倍以上２．５倍以下であることを特徴とする画像形成装置。
【請求項１１】
前記感光体の表面に硬化型樹脂を６０重量％以上含有し、前記感光体の表面の油溜り深さＲｖｋが０．０３μｍ以上０．１０μｍ以下であることを特徴とする請求項１０に記載の画像形成装置。
【請求項１２】
感光体と、前記感光体上の静電像をトナーで現像する現像器と、前記感光体上にトナーで形成されたトナー像を被転写体に転写する転写手段と、前記感光体に当接するクリーニングブレードを備え前記感光体の表面の付着物を清掃するクリーニング装置と、を有する画像形成装置において、
前記感光体の表面に硬化型樹脂を６０重量％以上含有し、前記感光体の表面の油溜り深さＲｖｋが０．０３μｍ以上０．１０μｍ以下であり、
前記現像器は、新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂと、が外添されたトナーで前記感光体上の静電像を現像し、前記転写後に前記感光体上に残留した、前記無機粒子Ａ及び前記無機粒子Ｂを含むトナーが、前記クリーニングブレードと前記感光体の当接部に供給されることを特徴とする画像形成装置。
【請求項１３】
前記無機粒子Ａが炭酸カルシウムを主成分とすることを特徴とする請求項１０〜１２のいずれか一項に記載の画像形成装置。
【請求項１４】
前記無機粒子Ｂが酸化チタンを主成分とすることを特徴とする請求項１０〜１３のいずれか一項に記載の画像形成装置。
【請求項１５】
前記無機粒子Ｂが酸化アルミニウムを主成分とすることを特徴とする請求項１０〜１３のいずれか一項に記載の画像形成装置。
【請求項１６】
前記トナーの平均円形度が０．９５０以上０．９７０以下であることを特徴とする請求項１０〜１５のいずれか一項に記載の画像形成装置。
【請求項１７】
前記感光体の静止時における、前記クリーニングブレードと前記感光体との当接ニップ幅が５０μｍ以上１２０μｍ以下、平均当接面圧が０．１Ｎ／ｍｍ２以上０．５Ｎ／ｍｍ２以下であることを特徴とする請求項１０〜１６のいずれか一項に記載の画像形成装置。
【請求項１８】
前記クリーニング装置は前記感光体に当接する複数の前記クリーニングブレードを有し、前記感光体の静止時における、前記複数のクリーニングブレードの内の１つのクリーニングブレードの前記感光体との当接ニップ幅が５μｍ以上３０μｍ以下、平均当接面圧が０．３Ｎ／ｍｍ２以上１．０Ｎ／ｍｍ２以下であることを特徴とする請求項１７に記載の画像形成装置。
【発明の詳細な説明】
【技術分野】
【０００１】
本発明は、電子写真方式を利用した画像形成方法及び画像形成装置に関するものである。
【背景技術】
【０００２】
従来、電子写真方式を利用した画像形成方法及び画像形成装置が広く普及している。電子写真方式では、像担持体としての光導電性物質を利用した電子写真感光体（感光体）を所要の極性及び電位に一様に帯電処理した後に、画像パターンに従った露光を行うことにより、感光体上に電気的潜像（静電潜像）を形成する。その後、感光体上の静電潜像をトナーで現像して顕像化し、これを紙などの転写材（転写媒体）に転写した後定着させる。
【０００３】
電子写真方式の画像形成方法及び画像形成装置における課題の一つとして、装置本体のデューティサイクル（Ｄｕｔｙ  Ｃｙｃｌｅ）が挙げられる。デューティサイクルとは、作業員によるメンテナンスを要することなく、装置本体が正常に稼動し続ける限界枚数のことである。
【０００４】
このデューティサイクルの律速となる最大の要因の一つに、感光体の寿命を挙げることができる。感光体の寿命を長寿命化することができれば、廃棄物の減少、即ち、消耗品の減少や消耗品の長寿命化や信頼性の向上を図ることができる。
【０００５】
斯かる背景のもと、感光体としてアモルファスシリコン（ａ−Ｓｉ）感光体や、表面に硬化型樹脂による保護層を有する有機感光体のような、高耐久性の感光体が多用されてきている。
【０００６】
しかしながら、本発明者らの検討によれば、感光体が高耐久性化するほど、感光体の表面状態の劣化が蓄積し易くなり、その結果、画質に影響を及ぼす可能性が高くなる。
【０００７】
画質に影響を及ぼす感光体の表面変化としては、次のものが挙げられる。即ち、転写材として多くの場合に利用される紙片から発生する微細な紙粉、これから析出する有機質成分、装置内における高圧部材の存在に起因して発生する放電生成物が、感光体の表面に付着することによるものである。感光体の表面に付着したこれらの微細な紙粉、有機質成分又は放電生成物は、特に高湿環境化において低電気抵抗化して、鮮明な静電潜像の形成を妨げ、これが画質の劣化をもたらす。
【０００８】
又、感光体の周りに配設される帯電装置による放電により感光体の表面自体が変質して、感光体の表面の親水性が大きくなり、水分が吸着して低電気抵抗化する場合もある。
【０００９】
このような高耐久性の感光体を用いた場合の問題に対する対策として、劣化した感光体の表面を削り取る方法がある。即ち、削り取り部材や研磨剤により、常時、感光体の表面に新しい表面が出るようにする方法である。研磨剤に関しては、モース硬度の高い材料をトナーに外添して感光体を研磨する方法がよく用いられる（特許文献１参照）。
【００１０】
しかし、この方法は、感光体の表面を削り取ることによって成り立つので、感光体の表面の寿命の低下を引き起こし易い。
【００１１】
一方、モース硬度の低い粒子を用いることにより、感光体の表面に発生するキズを抑止する技術がある（特許文献２、特許文献３、特許文献４参照）。
【００１２】
更に、モース硬度が異なる２種類の粒子を用い、感光体のキズを抑制しながら研磨を行って、クリーニングの性能を向上させる技術がある（特許文献５参照）。
【先行技術文献】
【特許文献】
【００１３】
【特許文献１】特開平１１−１６１００４号公報
【特許文献２】特開２００４−２８７１５１号公報
【特許文献３】特開２００７−２０６３８５号公報
【特許文献４】特開平８−１９０２２１号公報
【特許文献５】特開２００９−２１６９３９号公報
【発明の概要】
【発明が解決しようとする課題】
【００１４】
上述のように、従来、感光体の表面を削り取って、感光体の表面の付着物を取る試みがなされている。
【００１５】
しかしながら、従来の技術では、研磨量及びキズの発生を適切に抑えた上で、放電生成物付着によって表面が低電気抵抗化することによる画像流れを十分に抑止することは困難である。
【００１６】
感光体の表面の低電気抵抗化による画像流れを更に分析していくと、画像流れの発生状況に２つのパターンがあることがわかってきた。
【００１７】
１つ目のパターンは、画像出力をした後に画像形成装置を長時間放置した直後の画像出力時に画像流れが発生する場合である。これは、感光体の表面が劣化して親水化されることにより、空気中の水分を吸収し易くなることによるものである。そして、感光体の表面に吸着した多量の水分に、感光体の表面や画像形成装置本体内に蓄積した放電生成物が溶け込み、電気抵抗の低い感光体の表面を形成し、画像流れに発展する。このパターンは、感光体の表面の親水化による水分の吸着量が、画像流れの最大の要因である。
【００１８】
もう１つのパターンは、画像形成装置本体が温まっていない状態での画像形成中に画像流れが発生する場合である。これは、感光体の表面にある僅かな水分に、画像形成中に発生する放電生成物が溶け込んで、高濃度の電解液となって感光体の表面が低電気抵抗化することによる。このパターンは、帯電による放電生成物の感光体の表面への付着量が、画像流れの最大の要因である。
【００１９】
これらのパターンのうち、１つ目のパターンによる画質低下は、従来の方法、即ち、感光体の表面を少しずつ削り取る方法で、感光体の表面の親水化を防いで回避することができる。
【００２０】
しかしながら、２つ目のパターンの場合は、短時間での感光体の表面のリフレッシュが必要であるために、感光体の表面を削って解決する場合には、感光体の削れ量を非常に大きくしなければならない。
【００２１】
従って、本発明の目的は、感光体の磨耗やキズの発生を抑えながら効率的に画像流れを防止し、感光体の表面劣化による画質の劣化の発生を防止することができる画像形成方法及び画像形成装置を提供することである。
【課題を解決するための手段】
【００２２】
上記目的は本発明に係る画像形成方法及び画像形成装置にて達成される。要約すれば、本発明は、感光体上の静電像をトナーで現像する工程と、感光体にクリーニングブレードを当接させて感光体の表面の付着物を清掃する工程と、を有する画像形成方法において、新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂとを、前記クリーニングブレードと前記感光体の当接部に供給し、前記無機粒子Ａの個数平均粒子径が前記無機粒子Ｂの個数平均粒子径の１．２倍以上２．５倍以下であることを特徴とする画像形成方法である。
本発明の他の態様によると、感光体上の静電像をトナーで現像する工程と、感光体にクリーニングブレードを当接させて感光体の表面の付着物を清掃する工程と、を有する画像形成方法において、前記感光体の表面に硬化型樹脂を６０重量％以上含有し、前記感光体の表面の油溜り深さＲｖｋが０．０３μｍ以上０．１０μｍ以下であり、新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂとを、前記クリーニングブレードと前記感光体の当接部に供給することを特徴とする画像形成方法が提供される。
【００２３】
又、本発明の他の態様によれば、感光体と、前記感光体上の静電像をトナーで現像する現像器と、前記感光体上にトナーで形成されたトナー像を被転写体に転写する転写手段と、前記感光体に当接するクリーニングブレードを備え前記感光体の表面の付着物を清掃するクリーニング装置と、を有する画像形成装置において、前記現像器は、新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂと、が外添されたトナーで前記感光体上の静電像を現像し、前記転写後に前記感光体上に残留した、前記無機粒子Ａ及び前記無機粒子Ｂを含むトナーが、前記クリーニングブレードと前記感光体の当接部に供給され、前記無機粒子Ａの個数平均粒子径が前記無機粒子Ｂの個数平均粒子径の１．２倍以上２．５倍以下であることを特徴とする画像形成装置が提供される。
更に、本発明の他の態様によれば、感光体と、前記感光体上の静電像をトナーで現像する現像器と、前記感光体上にトナーで形成されたトナー像を被転写体に転写する転写手段と、前記感光体に当接するクリーニングブレードを備え前記感光体の表面の付着物を清掃するクリーニング装置と、を有する画像形成装置において、前記感光体の表面に硬化型樹脂を６０重量％以上含有し、前記感光体の表面の油溜り深さＲｖｋが０．０３μｍ以上０．１０μｍ以下であり、前記現像器は、新モース硬度が３以上４以下で且つ個数平均粒子径が５０ｎｍ以上３００ｎｍ以下である無機粒子Ａと、新モース硬度が７以上１３以下で且つ個数平均粒子径が５０ｎｍ以上３００ｎｍ以下である無機粒子Ｂと、が外添されたトナーで前記感光体上の静電像を現像し、前記転写後に前記感光体上に残留した、前記無機粒子Ａ及び前記無機粒子Ｂを含むトナーが、前記クリーニングブレードと前記感光体の当接部に供給されることを特徴とする画像形成装置が提供される。
【発明の効果】
【００２４】
本発明によれば、感光体の磨耗やキズの発生を抑えながら効率的に画像流れを防止し、感光体の表面劣化による画質の劣化の発生を防止することができる。
【図面の簡単な説明】
【００２５】
【図１】本発明を適用し得る画像形成装置の概略断面図である。
【図２】表面粗さＲｖｋを説明するための表面形状プロファイルとその負荷曲線を示す説明図である。
【図３】トナーの表面改質装置の概略断面図である。
【図４】感光体の粗面化装置の概略断面図である。
【図５】クリーニングブレードを２個有するクリーニング装置の概略断面図である。
【図６】（ａ）クリーニングブレードと感光体との当接部を示す模式図、（ｂ）当接ニップ幅の測定方法を示す模式図である。
【図７】無機粒子Ａについての（ａ）粒径と画像線幅低下率との関係、（ｂ）新モース硬度と画像線幅低下率との関係を示すグラフ図である。
【図８】無機粒子Ｂについての（ａ）粒径と画像線幅低下率との関係、（ｂ）新モース硬度と画像線幅低下率との関係を示すグラフ図である。
【発明を実施するための形態】
【００２６】
以下、本発明に係る画像形成方法及び画像形成装置を図面に則して更に詳しく説明する。
【００２７】
１．画像形成方法及び画像形成装置の実施形態
先ず、本発明に係る画像形成方法及び画像形成装置の一実施形態について説明する。
【００２８】
＜画像形成装置＞
図１は、本発明を適用し得る画像形成装置の一例の概略断面を示す。図１の画像形成装置１００は、デジタル方式の複写機である。
【００２９】
画像形成装置１００は、像担持体としてドラム型の感光体（感光ドラム）１０１を備えている。感光体１０１は、駆動手段（図示せず）によって図示矢印Ｒ１方向に回転駆動される。感光体１０１の周囲には、その回転方向に沿って、次の各手段が配設されている。先ず、帯電手段としての帯電部材たる帯電ローラ１０２である。次に、露光手段としての露光装置１０３である。次に、現像手段としての現像器１０４である。次に、転写手段としての転写帯電器１０５である。次に、クリーニング手段としてのクリーニング装置１０７である。更に、図中矢印Ｒ２で示す被転写体たる転写材Ｓの搬送方向において転写帯電器１０５の下流側には、定着手段としての定着器１０６が配設されている。
【００３０】
感光体１０１の表面は、帯電ローラ１０２に帯電バイアスが印加されることにより帯電される。次いで、露光装置１０３から発せられるレーザ光により、感光体１０１上のレーザ光照射部分の電荷が除去されて、感光体１０１上に静電潜像が形成される。感光体１０１上の静電潜像は、現像器１０４により、帯電したトナーによって現像される。
【００３１】
現像器１０４は、現像剤を収容する容器（現像器本体）を有する。容器内には、非磁性トナー（トナー）と磁性キャリア（キャリア）とを混合した二成分現像剤が収容されている。容器は、感光体１０１に対向した領域に開口部を有しており、この開口部に一部露出するようにして現像剤担持体としての現像スリーブが回転可能に配置されている。現像スリーブは、非磁性材料で構成され、その内部に磁界発生手段である固定のマグネットロールが配置されている。又、容器内には、現像剤撹拌搬送部材として撹拌スクリューが設けられている。容器内の現像剤は、この撹拌スクリューによって撹拌されながら容器内を循環搬送される。現像動作時には、摩擦帯電により表面にトナーが付着しているキャリアが、回転する現像スリーブ上に供給される。現像スリーブ上の二成分現像剤は、現像剤規制部材によりその量が規制される。感光体１０１と対向する現像領域（現像部）に搬送された二成分現像剤は、マグネットロールの発生する磁界により穂立ちして磁気ブラシを形成する。この磁気ブラシを感光体１０１に近接又は接触させることによって、静電潜像に応じて現像剤のトナーが感光体１０１上に供給される。この時、現像器１０４が備える現像スリーブには、現像バイアス出力手段たる現像バイアス電源（図示せず）により現像バイアスが印加される。本例では、現像スリーブには、直流電圧に交流電圧を重畳した現像バイアスが印加される。静電潜像を現像した後の現像剤は、現像スリーブの回転によって容器内に回収される。本例では、静電潜像は、反転現像により現像される。つまり、感光体１０１の表面の帯電極性と同極性（本例では負極性）に帯電したトナーが、露光により電荷が減衰した画像部（露光部）に付着し、感光体１０１上にトナー像が形成される。
【００３２】
感光体１０１上のトナー像は、図示矢印Ｒ２方向に搬送される転写材Ｓ上に、転写帯電器１０５によって転写される。トナー像が転写された後の転写材Ｓは、定着器１０６に搬送され、ここで加熱及び加圧を受けて、その表面にトナー像が定着される。又、トナー像の転写材Ｓへの転写後に感光体１０１上に残留したトナー（転写残トナー）は、クリーニング装置１０７にて回収される。
【００３３】
＜クリーニング工程＞
感光体上のトナーのクリーニング方式としては、クリーニング部材としてブラシローラ、弾性ローラ又は弾性ブレードを用いる方式が一般的である。弾性ブレードを感光体の表面の移動方向に対してカウンター方向、即ち、支持部に対して自由端部が感光体の表面の移動方向上流側に位置する方向に当接させる方式が、簡便な構成にできるために最もよく用いられている。
【００３４】
無機粒子で感光体の表面を研磨して、劣化した感光体の最表層或いは付着物の付いた感光体の最表層を掻き取るためには、弾性ブレード（クリーニングブレード）によるクリーニングブレード方式が適している。
【００３５】
本例では、クリーニングブレード１０８は、板金で形成された支持体の先端部に保持されている。クリーニングブレード１０８は、矩形板状の弾性部材である。クリーニングブレード１０８は、その長手方向が感光体１０１の長手方向と略平行となるように、短手方向の一方の端部側が支持体の先端部に固定され、短手方向の他方の端部である自由端が感光体１０１にカウンター方向に当接するように配設される。
【００３６】
クリーニングブレードの材質としては、感光体の表面への追従性と、感光体の表面へのキズの付け難さの点から、ゴム材料が適している。その中でも、ポリウレタンゴムが物性的な面と化学的な耐久性の面から最も適している。クリーニングブレードを構成するゴム材料のゴム硬度としては、国際ゴム硬さ（ＩＲＨＤ）で６０度以上９０度以下が、感光体からのトナーのクリーニングの安定性という点で好ましい。但し、研磨剤（無機粒子）を使用する本発明により得られる画像流れに対する効果は、クリーニングブレードの材質によらず、後述するクリーニングブレードの当接ニップ幅や当接面圧の方に感度があった。後述するように、本発明により得られる効果の主要因は、低硬度の無機粒子Ａと高硬度の無機粒子Ｂとが感光体に擦りつけられることであり、クリーニングブレード自体の摺擦効果は限定的である。実際、研磨剤（無機粒子）の無い状態でクリーニングブレードの圧力を変化させても画像流れはほとんど改善しなかった。
【００３７】
クリーニングブレードの形状やサイズ自体が本発明の効果に大きな影響を及ぼすわけではない。しかし、摩擦によりクリーニングブレードに加わる力を緩和し、クリーニングブレードの先端のめくれとトナーのすり抜けに対するラチチュードを広くもたせるために、クリーニングブレードの厚みは１ｍｍ以上１０ｍｍ以下が好ましい。
【００３８】
クリーニングブレードの当接方法としては、クリーニングブレードの当接位置における感光体の接線に対して１５°以上４５°以下傾けた支持体にゴムブレードを固定して、カウンターに当接するのが好ましい。
【００３９】
クリーニングブレードの当接線圧は、トナーをすり抜けさせないという観点で、０．１Ｎ／ｃｍ以上１Ｎ／ｃｍ以下程度に設定するのが好ましい。当接線圧はクリーニングブレードを固定する部分に荷重変換器（ロードセル）を設けて測定することができる。画像形成装置本体内のクリーニング装置を改造して荷重変換器を設置しても良いが、新東科学社製ＨＥＩＤＯＮ摩擦試験機（トライボステーションＴＹＰＥ３２改造機）を利用すると測定し易い。
【００４０】
クリーニングブレードのエッジが感光体に当接して変形することで、幅のある接触部（接触領域）である当接ニップを形成する。クリーニングブレード６０２と感光体６０１との当接ニップの近傍の拡大図を図６（ａ）に示す。当接ニップ幅（接触部の感光体の表面の移動方向における上流側端部と下流側端部間の距離）は、次のようにして計測することができる。図６（ｂ）に示すように、ガラスシリンダー６０３に画像形成装置内と同じ設定状態でクリーニングブレード６０４を当接させる。このときの接触ニップ幅を、次のようにして計測する。即ち、ガラスシリンダー６０３の内部に設置したミラー６０５を介して、マイクロスコープ（例えばキーエンス社製ＶＨＸ５００＋レンズ）６０６にて、クリーニングブレード６０４がガラスシリンダー６０３に密着した部分を観察して計測する。
【００４１】
クリーニングブレードと感光体との摩擦係数は、当接ニップ幅に大きく依存するが、クリーニングブレードのエッジの当接安定性の観点から、感光体の静止時において当接ニップ幅を５μｍ以上１２０μｍ以下と設定するのが好ましい。好ましい範囲内において、当接ニップ幅が狭いと外添剤、例えば研磨剤（無機粒子）の掻き取り力が向上し、当接ニップ幅が広いと研磨剤（無機粒子）による摺擦力が向上する。
【００４２】
この当接ニップにおける圧力は微小な面積における面圧としてとらえることができる。クリーニングブレードの当接面圧は、当接線圧を当接ニップ幅で除することで算出できる。
【００４３】
研磨剤（無機粒子）を使用する本発明において、クリーニングブレードの当接面圧の大小によりその研磨効果が増減する。面圧が大きすぎると研磨剤（無機粒子）が当接ニップ内に入り込み難くなって研磨性能が低下し、逆に面圧が小さすぎても研磨する力が十分でなくなって研磨性能が低下する。その研磨性という点で、クリーニングブレードの当接面圧としては０．０５Ｎ／ｍｍ2以上１．０Ｎ／ｍｍ2以下が好ましく、０．１Ｎ／ｍｍ2以上０．５Ｎ／ｍｍ2以下がより好ましい。
【００４４】
尚、本発明におけるクリーニングブレードと感光体との当接ニップ幅、及び平均当接面圧は感光体の静止時の値である。
【００４５】
＜無機粒子（無機微粒子、研磨剤、研磨粒子）＞
本発明者らは前述した感光体の表面の低電気抵抗化による画像流れの分析結果を踏まえ、先ず画像形成中に起こる画像流れ（前述の２つ目のパターン）の原因となる感光体の表面に形成される高濃度の低電気抵抗物質の除去を目指して検討を行った。その検討の結果、画像形成中の画像流れに対して、低硬度且つある粒子径範囲の無機粒子をクリーニングブレードと感光体との当接部に供給することが有効であることを見出した。しかしながら、画像流れに大きな効果がある一方、低硬度且つある粒子径範囲の無機粒子を使う方法において、感光体の表面に無機粒子が付着してクリーニングブレードによる掻き取りが難しくなる傾向が見られた。
【００４６】
そこで、更に検討した結果、適切な粒子径の低硬度の無機粒子Ａ及び高硬度の無機粒子Ｂをクリーニングブレードと感光体との当接部に供給して感光体の表面の清掃を効果的に行うことで、高品質、且つ、長寿命の画像形成を行えることを見出した。
【００４７】
これまで電子写真画像形成方法において感光体の表面を摺擦し研磨することで表面劣化を抑える様々な無機粒子が提案されてきている。その中で、粒子径が０．０３μｍ以上０．５μｍ以下程度の直方体形状の無機粒子が、放電生成物などの画像流れの原因となる感光体の表面の低電気抵抗化を引き起こす物質の掻き取り清掃効果の点で優れていることがわかってきた。
【００４８】
特に、低硬度の無機粒子Ａと高硬度の無機粒子Ｂを併用する本発明においては、無機粒子の粒子径は０．０５μｍ以上０．３μｍ以下（即ち、５０ｎｍ以上３００ｎｍ以下）が望ましい。
【００４９】
粒子径が０．０５μｍ未満では、クリーニングブレードによる感光体への押し付け負荷が小さくなるので、十分な画像流れ防止効果が発現し難い。
【００５０】
粒子径が０．３μｍより大きいとクリーニングブレードと感光体との当接ニップに入り込み難くなって、圧力を受ける機会が減り、十分な画像流れ防止効果が発現し難い。
【００５１】
又、高硬度の無機粒子Ｂの粒子径が、低硬度の無機粒子Ａの粒子径よりもある程度小さい方が、感光体の表面のキズの発生が低減できるので好ましい。
【００５２】
無機粒子の材質は、一般的な金属酸化物や水に不溶な塩で良いが、所定の範囲の粒子径と硬度を有していることが必要である。
【００５３】
無機粒子の形状は、クリーニングブレードと感光体との当接ニップ内における摺擦時に転がってしまわないように、非球形が好ましく、立方体などの角状が更に好ましい。
【００５４】
無機粒子の硬度については、感光体を単純に削るという目的に対しては、化学研磨が発現する材料である場合を除き、感光体にキズが出ない範囲で高硬度であることが最も効果がある。しかしながら、感光体の表面の低電気抵抗化を防ぐという目的に対しては、硬度は必ずしも大きければいいというものではない。以下、更に詳しく説明する。
【００５５】
本発明は、適切な粒子径の低硬度の無機粒子Ａと高硬度の無機粒子Ｂをクリーニングブレードによる感光体のクリーニング部に供給して感光体の表面の清掃を効果的に行うものである。
【００５６】
本発明における無機粒子の硬度の規定には、材料の違いによりキズの発生し易さを順位付けするところから策定されたモース硬度を用いる。
【００５７】
モース硬度は、滑石からダイヤモンドまで１０段階に分けた従来の旧モース硬度と、１５段階に分けた新（修正）モース硬度がある。本発明におけるモース硬度の値は、新モース硬度の値である。
【００５８】
新モース硬度は、１５種類の標準物質について、互いに引っかいた時のキズの発生の有無により硬度の順位をつけた数値である。硬さを計る試料物質で標準物質をこすり、ひっかき傷の有無で硬さを測定する。標準物質は、硬度の低い方から１：滑石、２：石膏、３：方解石、４：蛍石、５：燐灰石、６：正長石、７：溶融石英、８：水晶、９：黄玉（トパーズ）、１０：柘榴石、１１：溶融ジルコニア、１２：溶融アルミナ、１３：炭化ケイ素、１４：炭化ホウ素、１５：ダイヤモンドである。
【００５９】
無機粒子の硬度と粒子径が画像流れ抑止効果におよぼす影響ついて調べた。ここでは、モータ駆動により回転するドラム型のアモルファスシリコン感光体（感光ドラム）に帯電ローラとクリーニングブレードが当接された感光ドラム空回転装置を使用した。この装置のクリーニングブレードと感光ドラムとの当接部に、低硬度の無機粒子Ａと高硬度の無機粒子Ｂをミキサーで混合した混合粉体を充分量供給した。そして、この装置において、帯電ローラに帯電バイアスを印加するによる帯電処理を行いながら、高湿環境にて感光ドラムを回転させた後、高湿環境に７２時間放置した。放置した感光ドラムを通常の画像形成装置（キヤノン製ＩＲ６５７０）に組み込んで、高湿環境で罫線画像出力を行い、その罫線の線の細り具合を画素数低下率として算出した。
【００６０】
先ず、新モース硬度が３、個数平均粒子径が約２０００ｎｍの無機粒子（竹原化学工業株式会社製炭酸カルシウム粒子、ＳＬ１５００）を無機粒子Ａとして用いる。又、新モース硬度が１２、個数平均粒子径が約４００ｎｍの無機粒子（住友化学社製アルミナ粒子、ＡＫＰ３０）を無機粒子Ｂとして用いる。そして、上述の画像流れの評価を行った。その結果、出力画像の罫線の細りが大きく、画像流れに対して充分有効な効果が得られなかった。
【００６１】
次に、新モース硬度が３、個数平均粒子径が１００ｎｍの無機粒子Ａと、新モース硬度が１２、個数平均粒子径が１００ｎｍの無機粒子Ｂとの混合粉体を用いて、上述の画像流れの評価を行った。その結果、出力画像の罫線の細りがない良好な評価結果が得られた。この結果を中心にして、
（１）無機粒子Ａの新モース硬度を変えた場合、
（２）無機粒子Ａの粒子径を変えた場合、
（３）無機粒子Ｂの新モース硬度を変えた場合、
（４）無機粒子Ｂの粒子径を変えた場合、
について評価を行った。それぞれの評価結果を、図７（ａ）、図７（ｂ）、図８（ａ）、図８（ｂ）に示す。
【００６２】
無機粒子Ａについて、上記（１）の結果（図７（ａ））から新モース硬度は３以上４以下が良く、上記（２）の結果（図７（ｂ））から個数平均粒子径は５０ｎｍ以上３００ｎｍ以下が良いことがわかる。又、無機粒子Ｂについて、上記（３）の結果（図８（ａ））から新モース硬度は７以上が良く、上記（４）の結果（図８（ｂ））から個数平均粒子径は５０ｎｍ以上３００ｎｍ以下が良いことがわかる。
【００６３】
又、上記（１）で無機粒子Ａの硬度を大きした場合、上記（３）で無機粒子Ｂの硬度を小さくした場合の結果から明らかなように、低硬度の無機粒子Ａと高硬度の無機粒子Ｂの両方が存在してはじめて本発明の効果を得ることができる。
【００６４】
本発明の目的に対して、（１）の結果で示されるように、低硬度の無機粒子Ａは、新モース硬度が３以上４以下の必要がある。
【００６５】
低硬度の無機粒子Ａが、画像形成中の画像流れを抑制する効果を有する理由については、まだ完全には明確になっていない。しかし、感光体の表面に付着した放電生成物は硬い粒子で感光体の表面ごと削り取る方法よりも、柔らかい粒子で感光体の表面に密着させて拭き取るような方法の方が効果的であると考えられる。柔らかい粒子の方が、クリーニングブレードで押付けられた時に感光体の表面と粒子との接触機会が大きくなり、感光体上の画像流れの原因となる物質をむらなく吸着除去できるのではないかと考えられる。尚、新モース硬度３未満では、粒子の変形や破壊が発生するために、画像流れに対する効果が得られ難いと考えられる。
【００６６】
無機粒子Ａの材質としては、一般的な金属酸化物や水に難溶な塩で良いが、上記のごとく、ある範囲の粒子径と硬度を有していることが必要である。
【００６７】
新モース硬度が３以上４以下の具体的な材質としては、炭酸カルシウム、炭酸マグネシウム、ベーマイト（酸化アルミニウム１水和物）、フッ化カルシウム、硫酸ストロンチウム、硫化亜鉛などがある。
【００６８】
本発明の目的に対して、上記（３）の結果で示されるように、高硬度の無機粒子Ｂは、新モース硬度が７以上であることが必要である。新モース硬度が７未満では、特に低硬度の無機粒子Ａとの併用において、感光体の表面から低硬度の無機粒子Ａを削り取る能力が小さい。又、新モース硬度が１３より大きくなると、低硬度の無機粒子Ｂとの併用であっても、感光体の表面にキズが発生し易くなる。
【００６９】
新モース硬度が７以上１３以下の具体的な無機粒子の材質としては、酸化チタン（ルチル型）、石英（酸化ケイ素）、フォルステライト（珪酸マグネシウム）、酸化ジルコニウム、酸化アルミニウム、窒化珪素、炭化珪素などが挙げられる。
【００７０】
本発明において、無機粒子Ａ及び無機粒子Ｂの個数平均粒子径は、（２）と（４）の結果で示されるように、０．０５μｍ以上０．３以下である必要がある。
【００７１】
粒子径が０．０５μｍ未満ではクリーニングブレードの弾性や感光体の微細な粗さにより粒子の大きさがキャンセルされ易く、粒子の感光体への押付け負荷が小さくなるので、十分な画像流れ防止効果が発現し難いと考えられる。粒子径が０．３μｍより大きいと、クリーニングブレードと感光体との当接ニップに粒子が入り込み難くなって、粒子が圧力を受ける機会が減り、やはり十分な画像流れ防止効果が発現し難いと考えられる。
【００７２】
クリーニングブレードと感光体との当接ニップへの粒子の侵入し易さは、クリーニングブレードの感光体に対する当接圧力の影響を受ける。しかし、前述した感光体からトナーをクリーニングできる圧力範囲のレベルでは、特に粒子径０．３μｍ以下の粒子はすり抜け易い。このように、外添剤などの粒子がクリーニングブレードからいくらかすり抜ける状態で設計することで、クリーニングブレードの滑り性を維持して、感光体からのトナークリーニングを良好に行うことができる。
【００７３】
尚、本発明における無機粒子の粒子径については、電子顕微鏡にて５万倍の倍率で撮影した写真からランダムに１００個の粒子径を測定してその平均値（個数平均粒子径）を求めた。粒子径は一次粒子の最長辺をａ、最短辺をｂとしたとき、（ａ＋ｂ）／２で求めた。
【００７４】
又、高硬度の無機粒子Ｂの粒子径が、低硬度の無機粒子Ａの粒子径よりもある程度小さい方が、感光体の表面のキズ発生を低減できるので好ましい。
【００７５】
更に、無機粒子は、転がりを抑止して、感光体に対する摺擦による清掃効果を最大限に発揮させるために、非球形であることが好ましく、その円形度は０．９３０以下が好ましい。
【００７６】
無機粒子の円形度は、電子顕微鏡にて撮影された無機粒子の拡大画像をコンピュータに取り込む。そして、ＳｏｆｔＩｍａｇｉｎｇＳｙｓｔｅｍ社のソフトウェア「ａｎａｌｙＳＩＳ」にて粒子投影面積と同じ円の周囲長と粒子投影像の周囲長を算出し、以下の式にて円形度を算出した。
円形度＝（粒子投影面積と同じ円の周囲長）／（粒子投影像の周囲長）
【００７７】
対象データには、画像から得られた５０ｎｍ以上３００ｎｍ以下の無機粒子の像の中から無作為に１００サンプル抽出したものを用い、その平均値を算出した。
【００７８】
無機粒子のクリーニング部への供給方法としては、無機粒子をトナーに外添して、転写残トナーに含まれる状態としてクリーニングブレードと感光体との当接位置に供給する方法が、装置の簡略化という点で好ましい。
【００７９】
無機粒子のトナーへの外添量は、次のように設定するのが好ましい。即ち、感光体の清掃効果と現像性能への影響という観点で、トナー粒子１００質量部に対して、低硬度の無機粒子Ａと高硬度の無機粒子Ｂをそれぞれ０．１質量部以上２質量部以下ずつ外添するのが好ましい。転写効率や画像印字率によらず、画像流れに対する効果を発揮させるためには、無機粒子Ａと無機粒子Ｂを０．２質量部ずつ以上外添することがより好ましい。
【００８０】
尚、無機粒子をトナーに外添する際には、ベタ白画像を連続出力する場合でも、非画像部に付着するかぶりトナーが感光体に供給されるので、本発明の効果を発揮できる。しかし、その場合は、画像を形成して出力する転写材と転写材との間に相当する期間（紙間）などの非画像形成時に、ライン画像を形成させるなどして感光体にトナーを供給するのが好ましい。
【００８１】
又、別法として、クリーニング装置内などに、無機粒子供給手段を設けても良い。例えば、無機粒子を圧縮固形化した部材をファーブラシローラなどで削り出して、感光体の表面に供給する方法が挙げられる。ファーブラシローラ（クリーニング補助ブラシローラ）としては、感光体の表面の移動方向においてクリーニングブレードよりも上流側で感光体に接触しながら回転するものがあり、感光体上のトナーを均すなどするために用いられる。無機粒子を圧縮固形化した部材から、無機粒子をファーブラシローラで削り出すために、ファーブラシローラをその圧縮固形化した部材に接触しながら回転するように設置することができる。この方法を用いた場合には、一定量の無機粒子をクリーニング部に供給することが可能になり、画像出力の仕方によらず安定した研磨効果を得ることができる利点がある。
【００８２】
＜感光体＞
露光により静電潜像を形成する感光体は表面劣化及び汚染物付着により表面が低電気抵抗化して電荷が拡散し、画像ボケにつながって、画像不良に直結し易い。本発明を適用した場合に最も効果が発揮できる、或いは適用の必要性が高い感光体は、磨耗に強く高耐久性を有する感光体である。高耐久性の感光体は、長寿命である反面、感光体の表面劣化及び汚染物質付着が蓄積し易く、感光体の表面のリフレッシュを助ける必要が大きいからである。
【００８３】
＜高耐久性感光体＞
高耐久性を有する感光体について、その作製方法を含めて詳細に説明する。
【００８４】
感光体は、主に、積層構造を有し、支持体の上に電荷発生層、電荷輸送層が順に設けられており、更に最表面に保護層が設けられている。又、支持体と電荷発生層との間に、結着層、更には干渉縞防止などを目的とする下引き層が設けられていてもよい。
【００８５】
支持体としては、支持体自身が導電性を持つもの、例えば、アルミニウム、アルミニウム合金又はステンレスなどを用いることができる。
【００８６】
電荷発生層に用いる結着樹脂及び電荷発生物質並びに電荷輸送層を形成するのに用いられる結着樹脂及び電荷輸送物質としては、いずれも公知の材料を任意に用いることができる。
【００８７】
感光体と接触する部材と摺擦することによる磨耗で感光体の表面形状が変化するのを抑制するために、感光体の最表面を機械的強度の高い樹脂を用いた層とすることが好ましい。電荷輸送層を最表層としても構わないが、表面の機械的強度をより高めるために、電荷輸送層の上に機械的強度のより高い電荷輸送層を保護層として形成するのが好ましい。保護層は、その機械的強度の観点から、硬化型樹脂を６０％以上含有するのが好ましい。
【００８８】
高耐久性の感光体の保護層として、下記化学式（１）で示すような同一分子内に２つ以上の連鎖重合性官能基を有する電荷輸送性化合物を重合した化合物を含有する保護層がある。
【００８９】
【化１】
0005661413.tif 000002
【００９０】
式中、Ａは電荷輸送性基を示す。Ｐ１及びＰ２は連鎖重合性官能基を示す。Ｐ１とＰ２は同一でも異なってもよい。Ｚは置換基を有してもよい有機残基を示す。ａ、ｂ及びｄは０又は１以上の整数を示し、ａ＋ｂ×ｄは２以上の整数を示す。又、ａが２以上の場合Ｐ１は同一でも異なってもよく、ｄが２以上の場合Ｐ２は同一でも異なってもよく、又ｂが２以上の場合、Ｚ及びＰ２は同一でも異なってもよい。
【００９１】
前記同一分子内に二つ以上の連鎖重合性官能基を有する電荷輸送性化合物を重合させることで、その保護層中において、電荷輸送能を有する化合物は少なくとも二つ以上の架橋点をもって３次元架橋構造の中に共有結合を介して取り込まれる。前記電荷輸送性化合物はそれのみを重合させる、又は他の連鎖重合性基を有する化合物と混合させることのいずれもが可能であり、その種類／比率はすべて任意である。ここでいう他の連鎖重合性基を有する化合物とは、連鎖重合性基を有する単量体又はオリゴマー／ポリマーのいずれもが含まれる。電荷輸送性化合物の官能基とその他の連鎖重合性化合物の官能基が同一の基又は互いに重合可能な基である場合には、両者は共有結合を介した共重合３次元架橋構造をとることが可能である。両者の官能基が互いに重合しない官能基である場合には、感光層は少なくとも二つ以上の３次元硬化物の混合物又は主成分の３次元硬化物中に他の連鎖重合性化合物単量体又はその硬化物を含んだ物として構成される。
【００９２】
保護層には、潤滑材としてフッ素原子含有樹脂、フッ化カーボン、ポリオレフィン樹脂からなる群の中から選ばれた少なくとも一種を含有させることが可能である。その好ましい化合物としては、以下のものが挙げられる。フッ素原子含有樹脂として好ましいものは、ビニルフルオライド、ビニリデンフルオロライド、クロロトリフルオロエチレン、テトラフルオロエチレン、ヘキサフルオロプロピレンより選ばれる化合物の重合体若しくは共重合体樹脂及び樹脂微粒子が挙げられる。フッ化カーボンとしては、（ＣＦ）ｎ、（Ｃ2Ｆ）ｎで表される化合物が挙げられる。ポリオレフィン系樹脂として好ましいものは、ポリエチレン樹脂、ポリプロピレン樹脂、ポリブテン樹脂等のホモポリマー樹脂、エチレン−プロピレン共重合体が挙げられる。これらの潤滑材は、それぞれ単独でも２種以上を任意の割合で用いることも可能である。又、保護層には、前記潤滑材の分散剤、分散助剤、その他の各種添加剤、界面活性剤等を含有してもよい。
【００９３】
保護層に含有させる潤滑材の割合は、表面層となる層の全重量に対し、１％以上７０％以下が好ましい。本発明においては、低硬度の無機粒子Ａの効果を発現し易くさせるために、より好ましくは２％以上２０％以下である。
【００９４】
前記連鎖重合性基を有する電荷輸送性化合物の硬化物を含有する保護層に、電荷輸送物質を含有させることも可能である。
【００９５】
前記保護層の形成方法は、前記電荷輸送性化合物を含有する溶液を塗布後、重合反応をさせるのが一般的であるが、前もって該電荷輸送性化合物を含む溶液を反応させて硬化物を得た後に、再度溶剤中に分散又は溶解させて、保護層を形成することも可能である。これらの溶液を塗布する方法は、例えば、浸漬コーティング法、スプレーコーティング法、カーテンコーティング法及びスピンコーティング法などが知られているが、効率性／生産性の点からは浸漬コーティング法が好ましい。保護層の膜厚は、膜強度と電荷輸送性の観点から、２μｍ以上１０μｍ以下が好ましい。
【００９６】
連鎖重合性基を有する電荷輸送性化合物は放射線により重合させることが好ましい。放射線による重合の最大の利点は重合開始剤を必要としない点であり、これにより非常に高純度な三次元感光層の作製が可能となり、良好な電子写真特性が確保される点である。又、短時間で且つ効率的な重合反応であるがゆえに生産性も高く、更には放射線の透過性のよさから、厚膜時や添加剤などの遮蔽物質が膜中に存在する際の硬化阻害の影響が非常に小さいことなどが挙げられる。但し、連鎖重合性基の種類や中心骨格の種類によっては重合反応が進行し難い場合があり、その際には影響のない範囲内での重合開始剤の添加は可能である。この際使用する放射線とは電子線及びγ線である。電子線照射をする場合、加速器としてはスキャニング型、エレクトロカーテン型、ブロードビーム型、パルス型及びラミナー型などいずれの形式も使用することができる。電子線を照射する場合、感光体の電気特性及び耐久性能を発現させる上で、照射条件が非常に重要である。加速電圧は２５０ｋＶ以下が好ましく、最適には１５０ｋＶ以下である。又、線量は好ましくは１０ｋＧｙ以上１０００ｋＧｙ以下の範囲である。加速電圧が上記を越えると、感光体特性に対する電子線照射のダメージが増加する傾向にある。又、線量が上記範囲よりも少ない場合には硬化が不十分となり易く、線量が多い場合には感光体特性の劣化が起こり易い。
【００９７】
前述したように、画像流れは、感光体の削れ量の影響が大きい。画像形成時の感光体の３０００回転当たりの感光体の磨耗量が、約０．５μｍより小さくなるような高耐久性の感光体は、画像流れが特に悪くなり易い。本発明は、上記保護層を有する感光体に限らず有効であるが、こういった高耐久性の感光体の場合に特に有効である。例えば、本発明によれば、保護層のない有機感光体やセレン感光体でも画像流れの改善効果が得られるが、より高耐久性の感光体であるアモルファスシリコン感光体に適用した場合には、長寿命と高画質を両立した画像形成システムを構築できる。
【００９８】
＜感光体の表面粗さ＞
感光体の表面は、該表面に当接する部材との摩擦低減の必要から、ある程度の表面粗さを有していることが望ましい。感光体の表面の表面粗さを制御する方法として、特に微細な粗さを得るためには、感光体の表面を形成させた後に、表面を何らかの粗面化加工処理により変化させるのが有効である。粗面化処理方法としては、ブラシや研磨テープによって表面を摺擦する方法、砥粒をぶつけて凹凸を形成させる方法（ブラスト処理）、微細な金型を押付けて所望の表面形状を得る方法（ナノインプリント法）などがある。
【００９９】
ここで、感光体の製造に用いることのできる粗面化手段として、研磨シートを含む研磨機の一例を図４に示す。研磨シート（ラッピングフィルムなど）４０３は、研磨砥粒が結着樹脂に分散されたものが基材に塗布されたシートである。研磨シート４０３は中空の軸４０４に巻かれており、軸４０４にシートが送られる方向と逆方向に、研磨シート４０３に張力が与えられるようモータ（図示せず）が配置されている。研磨シート４０３は図示矢印方向に送られ、ガイドローラ４０６を介してバックアップローラ４０２を通り、研磨後のシートはガイドローラ４０７を介してモータ（図示せず）により巻き取り手段４０５に巻き取られる。研磨は、基本的に未処理の研磨シート４０３が感光体４０１の表面に常時圧接され、感光体４０１の表面を粗面化することで行われる。
【０１００】
研磨シートとしては、以下のような市販のものを用いることができる。例えば、レフライト（株）製ＭＡＸＩＭＡ  ＬＡＰ（登録商標）、ＭＡＸＩＭＡ  Ｔタイプ；（株）ＫＯＶＡＸ製ラピカ；住友３Ｍ（株）製マイクロフィニッシングフィルム、ラッピングフィルム；三共理化学（株）製ミラーフィルム（登録商標）、ラップングフィルム；日本ミクロコーティング（株）製ミポックス（登録商標）等が挙げられる。
【０１０１】
表面粗さは、市販の接触式の表面粗さ測定器にて測定できる。感光体の表面粗さは、一般的には、十点平均粗さＲｚ、算術平均粗さＲａ、算術平均傾斜Δａ、凹凸の平均間隔Ｓｍといった評価基準で表されることが多い。粗さが大きい方が、摩擦係数が低下するため、当接部材及び感光体の破損が減り、長寿命化につながる。逆に、粗さが大きすぎると、トナー、外添剤、紙粉が溝に沿ってクリーニングブレードをすり抜けてしまって、クリーニング性能が低下する。
【０１０２】
本発明を検討する中で、無機粒子の使用時には、油溜まり深さ（突出谷部深さ）Ｒｖｋという値に、低硬度の無機粒子Ａの付着を抑止する性能に対する感度があることがわかってきた。油溜まり深さＲｖｋは、一般的に、摩擦面に潤滑油を用いる場合の凹凸の谷部分への潤滑油の溜まり易さ、即ち、摩擦面の潤滑油保持性能の指標として使われる数値である。Ｒｖｋ値が大きいことは凹部に狭く深い溝を有することを意味する。油溜まり深さＲｖｋは、測定された表面形状プロファイルから得られる線形負荷曲線の図２のような作図により求まる。
【０１０３】
本発明においては、表面粗さ測定機サーフテストＳＶＣ−４０００Ｓ４（ミツトヨ社製）により感光体の表面を測定し、油溜まり深さＲｖｋを自動算出させた。測定条件及び評価条件は以下のとおりである。
【０１０４】
測定条件
測定長さ：５．０ｍｍ
速度：１．０ｍｍ／ｓ
ピッチ：１μｍ
検出器：４ｍＮ
評価条件
規格：ＪＩＳ２００１
基準長さ：２．５ｍｍ
区間数：１
λｃ：２．５ｍｍ
λｓ：０．００８ｍｍ
評価長さ：２．５ｍｍ
助走：１．２５ｍｍ
後走：１．２５ｍｍ
【０１０５】
感光体の表面の放電生成物や水分などの低電気抵抗物質の掻き取り及び拭き取り性の観点から、感光体の表面が適度な油溜まり深さＲｖｋの値であると、より画像流れ防止効果が発現し易い。
【０１０６】
＜現像剤＞
トナーは、少なくとも結着樹脂、着色剤、及び離型剤を含有するトナー粒子を有するものである。
【０１０７】
トナーは、流動性及び帯電性並びにドット／ライン再現性の観点から、重量平均粒子径が３．０μｍ以上７．０μｍ以下であることが好ましい。
【０１０８】
トナーに含有させる結着樹脂、着色剤、及び離型剤には、いずれも公知の材料を任意に用いることができる。又、必要に応じて種々の添加剤（荷電制御剤など）を更に含有させてもよい。
【０１０９】
トナーには、流動性や現像性を制御するため流動化剤として、公知の外添剤を添加することができる。外添剤としては、シリカ、アルミナ、酸化チタンの他シリカ、アルミナ、酸化チタン、酸化セリウム、チタン酸ストロンチウムなどの各種無機酸化微粒子、又必要に応じて疎水化処理した微粒子、ビニル系重合体、ステアリン酸亜鉛、樹脂微粒子などが使用できる。流動性が改良されることで、現像器内での撹拌によるトナー帯電が十分に行われ、カブリ（感光体上のトナーが付着すべきでない非画像部にトナーが付着する現象）やトナー飛散の抑制に対して効果的なトナーとなる。外添剤の添加量は、トナー粒子１００質量部に対して０．０２質量部以上５質量部以下が好ましい。流動化剤としての外添剤の粒子径は１ｎｍ以上３０ｎｍ以下程度が望ましい。
【０１１０】
更に、本発明では、トナーには、感光体の表面を清掃及び研磨するための、平均粒子径が５０ｎｍ以上３００ｎｍ以下の無機粒子を外添する。
【０１１１】
無機粒子を外添処理する方法としては、分級されたトナーと各種外添剤を所定量配合し、ヘンシェルミキサー、スーパーミキサーなどの粉体にせん断力を与える高速撹拌機を外添機として用いて、撹拌及び混合する方法が挙げられる。
【０１１２】
尚、本発明は、トナーのみからなる（キャリアを含まない）一成分系現像剤、トナーとキャリアとからなる二成分系現像剤のいずれを現像剤として用いる場合にも適用できる。二成分系現像剤に用いる場合は、トナーは磁性キャリアと混合して使用される。
【０１１３】
磁性キャリアとしては、例えば、表面酸化又は未酸化の鉄、リチウム、カルシウム、マグネシウム、ニッケル、銅、亜鉛、コバルト、マンガン、クロム、希土類の如き金属粒子、それらの合金粒子、酸化物粒子及びフェライトなどが使用できる。
【０１１４】
磁性キャリア粒子の表面を樹脂で被覆した被覆キャリアは、現像スリーブに交流バイアスを印加する現像法において特に好ましく使用できる。被覆方法としては、樹脂の如き被覆材を溶剤中に溶解もしくは懸濁せしめて調製した塗布液を磁性キャリアコア粒子の表面に付着せしめる方法、磁性キャリアコア粒子と被覆材とを粉体で混合する方法など、公知の方法が適用できる。
【０１１５】
トナーと磁性キャリアとを混合して二成分系現像剤を調製する場合、その混合比率は、二成分系現像剤中のトナー濃度として、２質量％以上１５質量％以下、好ましくは４質量％以上１３質量％以下にすると、通常良好な結果が得られる。トナー濃度が２質量％未満では画像濃度が低下し易く、１５質量％を超えるとカブリや機内飛散が発生し易い。
【０１１６】
次に、トナーを製造する方法について説明する。
【０１１７】
結着樹脂、着色剤、離型剤及び任意の材料を溶融混練し、これを冷却して粗粉砕し、気流式又は機械式粉砕機で微粉砕する。その後、後述する機械式粉砕機と後述する分級及び表面改質処理を同時に行うことができる表面改質装置で分級と表面改質処理し、これに無機粒子を混合することによって、本発明に好適に使用されるトナーを得ることができる。
【０１１８】
表面改質処理により、粉砕されたトナーの円形度を変化させることが可能である。
【０１１９】
表面改質装置として、微粉砕物に含まれる微粉及び超微粉を分級して除去する工程と微粉砕物の含まれる粒子の表面改質処理の工程とを同時に行う回分式の装置が好ましい。
【０１２０】
図３は、回分式表面改質装置の好適な一例を示す概略断面図である。この表面改質装置は、円筒形状の本体ケーシング３０、微粉砕物を本体ケーシング３０内に投入する投入部３７を有する。又、この表面改質装置は、本体ケーシング３０内に投入された微粉砕物から所定粒子径以下の微粉及び超微粉を装置外へ連続的に除去するために所定方向に回転する分級ローター３５を有する分級手段を有する。又、この表面改質装置は、分級ローター３５の回転方向と同方向に回転する分散ローター３２を有する表面改質手段を有する。この表面改質手段は、上記分級手段によって除去された微粉及び超微粉を、本体ケーシング３０外に微粉排出部４４より排出し、微粉及び超微粉が除去された微粉砕物に含まれる粒子を、機械式衝撃力を用いて表面改質処理するためのものである。この表面改質装置は、本体ケーシング３０内に第一の空間４７と第二の空間４８とを形成するための円筒形状の案内手段３６を有する。又、この表面改質装置は、分散ローター３２によって表面改質処理が行われたトナー粒子を本体ケーシング３０外に排出するためのトナー粒子排出部４０を少なくとも有する。本体ケーシング３０の内壁と円筒形状の案内手段３６の外壁との間に設けられた第一の空間４７は、微粉砕物及び表面改質された粒子を分級ローター３５へ導くための空間である。又、第二の空間４８は、微粉及び超微粉が除去された微粉砕物及び表面改質された粒子を分散ローター３２で処理するための空間である。
【０１２１】
次の工程により、所定粒子径以下の微粉及び超微粉が所定量以下に除去されており且つ表面改質されたトナー粒子を得ることができる。上記表面改質装置内において、投入部３７より本体ケーシング３０内に投入された微粉砕物を第一の空間４７に導入し、上記分級手段により所定粒子径以下の微粉及び超微粉を除去して装置外へ連続的に排出する。それと共に、微粉及び超微粉が除去された微粉砕物を第二の空間４８へ移動させる。分散ローター３２で処理して微粉砕物中の粒子の表面改質処理を行い、再び表面改質された粒子を含む微粉砕物を第一の空間４７と第二の空間４８とへ循環させることにより、分級と表面改質処理とを繰り返す。
【０１２２】
尚、表面改質と分級とは別々に行ってもよい。このような場合では必要に応じて風力式篩のハイボルター（新東京機械社製）などの篩分機を用いても良い。又、必要に応じて、上記表面改質装置を用いた後に更に表面改質及び球形化処理を行ってもよい。前記表面改質及び球形化処理には、例えば奈良機械製作所製のハイブリタイゼーションシステム、ホソカワミクロン社製のメカノフージョンシステムを用いる。
【０１２３】
＜平均円形度の測定方法＞
トナー粒子の平均円形度は、フロー式粒子像分析装置「ＦＰＩＡ−３０００」（シスメックス社製）によって、校正作業時の測定及び解析条件で測定する。
【０１２４】
具体的な測定方法は、以下の通りである。先ず、ガラス製の容器中に予め不純固形物などを除去したイオン交換水約２０ｍｌを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で約３質量倍に希釈した希釈液を約０．２ｍｌ加える。更に測定試料を約０．０２ｇ加え、超音波分散器を用いて２分間分散処理を行い、測定用の分散液とする。その際、分散液の温度が１０℃以上４０℃以下となる様に適宜冷却する。超音波分散器としては、発振周波数５０ｋＨｚ、電気的出力１５０Ｗの卓上型の超音波洗浄器分散器（例えば「ＶＳ−１５０」（ヴェルヴォクリーア社製））を用い、水槽内には所定量のイオン交換水を入れ、この水槽中に前記コンタミノンＮを約２ｍｌ添加する。
【０１２５】
測定には、対物レンズとして「ＵＰｌａｎＡｐｒｏ」（倍率１０倍、開口数０．４０）を搭載した前記フロー式粒子像分析装置を用い、シース液にはパーティクルシース「ＰＳＥ−９００Ａ」（シスメックス社製）を使用した。前記手順に従い調整した分散液を前記フロー式粒子像分析装置に導入し、ＨＰＦ測定モードで、トータルカウントモードにて３０００個のトナー粒子を計測する。そして、粒子解析時の２値化閾値を８５％とし、解析粒子径を円相当径１．９８５μｍ以上、３９．６９μｍ未満に限定し、トナー粒子の平均円形度を求める。
【０１２６】
測定にあたっては、測定開始前に標準ラテックス粒子（例えば、Ｄｕｋｅ  Ｓｃｉｅｎｔｉｆｉｃ社製の「ＲＥＳＥＡＲＣＨ  ＡＮＤ  ＴＥＳＴ  ＰＡＲＴＩＣＬＥＳ  Ｌａｔｅｘ  Ｍｉｃｒｏｓｐｈｅｒｅ  Ｓｕｓｐｅｎｓｉｏｎｓ  ５２００Ａ」をイオン交換水で希釈）を用いて自動焦点調整を行う。その後、測定開始から２時間毎に焦点調整を実施することが好ましい。
【０１２７】
尚、実施例では、シスメックス社による校正作業が行われた、シスメックス社が発行する校正証明書の発行を受けたフロー式粒子像分析装置を使用した。解析粒子径を円相当径１．９８５μｍ以上、３９．６９μｍ未満に限定した以外は、校正証明を受けた時の測定及び解析条件で測定を行った。
【０１２８】
フロー式粒子像分析装置「ＦＰＩＡ−３０００」（シスメックス社製）の測定原理は、流れている粒子を静止画像として撮像し、画像解析を行うというものである。試料チャンバーへ加えられた試料は、試料吸引シリンジによって、フラットシースフローセルに送り込まれる。フラットシースフローに送り込まれた試料は、シース液に挟まれて扁平な流れを形成する。フラットシースフローセル内を通過する試料に対しては、１／６０秒間隔でストロボ光が照射されており、流れている粒子を静止画像として撮影することが可能である。又、扁平な流れであるため、焦点の合った状態で撮像される。粒子像はＣＣＤカメラで撮像され、撮像された画像は５１２×５１２の画像処理解像度（１画素あたり０．３７×０．３７μｍ）で画像処理され、各粒子像の輪郭抽出を行い、粒子像の投影面積Ｓや周囲長Ｌなどが計測される。
【０１２９】
次に、上記面積Ｓと周囲長Ｌを用いて円相当径と円形度を求める。円相当径とは、粒子像の投影面積と同じ面積を持つ円の直径のことであり、円形度Ｃは、円相当径から求めた円の周囲長を粒子投影像の周囲長で割った値として定義され、次式で算出される。
円形度Ｃ＝２×（π×Ｓ）１／２／Ｌ
【０１３０】
粒子像が円形の時に円形度は１になり、粒子像の外周の凹凸の程度が大きくなればなるほど円形度は小さい値になる。各粒子の円形度を算出後、円形度０．２００以上１．０００以下の範囲を８００分割し、得られた円形度の相加平均値を算出し、その値を平均円形度とする。
【０１３１】
平均円形度とは、トナーの凹凸度合いの指標であり、トナーが完全な球形の場合１．０００を示し、トナーの表面形状が複雑になるほど平均円形度は小さな値となる。
【０１３２】
円形度の高い球形トナーはトナー母体自体の流動性が高いため、外添された無機粉体の量が変化しても流動性が大きく変化し難い。更に、感光体からの離形性に優れるため転写効率が優れており、画像濃度を十分かせげると共に転写残トナーを少なくすることができる。このような利点がある一方、トナーをクリーニングブレードにより感光体からクリーニングするシステムにおいては、円形度が大きいほどクリーニングし難くなる。円形度が高いことでトナーの転がりが発生し、クリーニングブレードと感光体との当接ニップを通過し易くなるのが一因である。更に、外添剤などの粒子で、感光体の表面の移動方向においてクリーニングブレードの当接位置の直前に、阻止層と呼ばれるトナー粒子をブロックする層を形成させてクリーニングを安定化させる場合においては、次のような傾向がある。即ち、トナーの円形度が高いことで阻止層の手前でのトナーの運動性が増大し、阻止層を破壊し易くなって、クリーニングが安定し難くなる。
【０１３３】
本発明においては、５０ｎｍ以上３００ｎｍ以下の無機粒子により阻止層が形成され、そのことがトナーのクリーニングを助けると同時に、感光体を研磨する性能の安定化に寄与している。トナーによるこの阻止層の破壊を低減するために、トナーの円形度は最適化が図られるのが望ましい。本発明においては、トナーの平均円形度は０．９７０以下が望ましく、転写性能の十分な発現を考えれば０．９５０以上が望ましい。
【０１３４】
＜効果＞
本発明によれば、感光体上の静電像をトナーで現像する工程と、感光体にクリーニングブレードを当接させて感光体の表面の付着物を清掃する工程と、を有する画像形成方法が提供される。当該方法は、次の低硬度の無機粒子Ａと高硬度の無機粒子Ｂとを、クリーニングブレードと感光体の当接部に供給するものである。無機粒子Ａは、新モース硬度が３以上４以下で且つ個数平均粒子径が５０ｎｍ以上３００ｎｍ以下である。無機粒子Ｂは、新モース硬度が７以上１３以下で且つ個数平均粒子径が５０ｎｍ以上３００ｎｍ以下である。これにより、感光体の表面の必要以上の磨耗と低硬度の無機粒子の感光体への付着を抑えた上で、画像がボケたようになる現象、所謂、画像流れを防止して、高画質の画像を出力できる。低硬度の無機粒子Ａが、画像形成中の画像流れの防止に効果がある理由については、必ずしも明確になっていない。しかし、感光体の表面に付着した放電生成物は硬い粒子で感光体の表面ごと掻き取る方法よりも、柔らかい粒子で感光体の表面を拭き取るような方法の方が効果的である可能性がある。即ち、柔らかい粒子の方が感光体の表面と粒子とのインタラクションが大きくなり、感光体上の画像流れを引き起こす物質をむらなく吸着し除去できるものと考えられる。
【０１３５】
無機粒子Ａとしては、炭酸カルシウムを主成分とするものを好適に用いることができる。低硬度の無機粒子Ａとして炭酸カルシウムを使用すれば、画像形成中の画像流れを抑止する性能が更に高く、より高品質の画像を出力できる。無機粒子Ｂとしては、酸化チタンを主成分とするものを好適に用いることができる。高硬度の無機粒子Ｂとして酸化チタンを用いることで、クリーニングブレードの欠けが発生し難くなり、クリーニングブレードの長寿命化が達成できる。又、無機粒子Ｂとしては、酸化アルミニウムを主成分とするものも好適に用いることができる。高硬度の無機粒子Ｂとして酸化アルミニウムを用いることにより、感光体の表面への低硬度の無機粒子Ａの付着が発生し難くなる。
【０１３６】
好ましくは、無機粒子Ａの個数平均粒子径が無機粒子Ｂの個数平均粒子径の１．２倍以上２．５倍以下である。これにより、無機粒子Ｂによる感光体の表面の深いキズが発生し難くなる。これは無機粒子Ａによるクリーニングブレードと感光体との当接ニップにおけるスペーサ効果が発現し易くなっていることによるものと考えられる。１．２倍以上２．５倍以下という関係は、クリーニングブレードと感光体との当接ニップにおける無機粒子Ａと無機粒子Ｂとの同時介在確率の問題であると考えられる。
【０１３７】
又、好ましくは、トナーの平均円形度が０．９５０以上０．９７０以下である。トナー粒子の円形度が最適であると、高い転写性を維持した上で、クリーニングブレードの近傍におけるトナーの動きが小さくなり、無機粒子の層が乱れることがない。これにより、トラブルなどで未転写トナーがクリーニングブレードと感光体との当接部に突入した場合にもクリーニング性が向上する。
【０１３８】
又、好ましくは、感光体の表面に硬化型樹脂を６０重量％以上含有し、感光体の表面の油溜り深さＲｖｋが０．０３μｍ以上０．１０μｍ以下である。硬化樹脂を含有することにより表面形状を維持し易くなって、且つ、表面粗さの溝最深部においても低硬度の無機粒子Ａの高硬度の無機粒子Ｂによる掻き取りが行われ易くなるために、低硬度の無機粒子Ａの感光体への付着を防止する性能が更に高まる。
【０１３９】
又、好ましくは、感光体の静止時における、クリーニングブレードと感光体との当接ニップ幅が５０μｍ以上１２０μｍ以下、平均当接面圧が０．１Ｎ／ｍｍ2以上０．５Ｎ／ｍｍ2以下である。これにより、無機粒子による感光体の表面の研磨性能が発揮し易くなり、放置後の画像流れを防止する効果が更に高くなる。
【０１４０】
又、上記清掃する工程では複数のクリーニングブレードが感光体に当接されてよい。この場合、好ましくは、感光体の静止時における、複数のクリーニングブレードの内の１つのクリーニングブレードの感光体との当接ニップ幅が５μｍ以上３０μｍ以下、平均当接面圧が０．３Ｎ／ｍｍ2以上１．０Ｎ／ｍｍ2以下である。これにより、無機粒子のすり抜けが抑えられ、他の部材の汚染が低減できる。
【０１４１】
２．実施例及び比較例
次に、実施例及び比較例を参照して本発明の効果を更に具体的に説明する。
【０１４２】
＜トナー粒子（分級品）製造例＞
・ポリエステル樹脂            １００質量部
・Ｃ．Ｉ．ピグメントブルー１５：３            ５質量部
・ノルマルパラフィンワックス（最大吸熱ピーク：７０℃）            ５質量部
・ジ−ターシャリブチルサリチル酸のアルミニウム化合物（荷電制御剤）      １質量部
上記材料をヘンシェルミキサーにより十分予備混合し、二軸押出し混練機で任意のバレル温度にて溶融混練した。冷却後ハンマーミルを用いて約１〜２ｍｍ程度に粗粉砕し、第一段階として機械式粉砕方式による微粉砕機で１時間あたり５０ｋｇの処理スピードで１０μｍ以下の粒子径に微粉砕した。更に、第二段階として、微粉砕物を、ライナーとローターとの間の距離を、ローター長手方向に４等分し、粉砕物が投入される方向から０．１倍ずつ段階的に狭めた機械式粉砕機により粉砕し、１時間あたり５０ｋｇの処理スピードで機械式粉砕機により処理した。このとき、冷風温度を制御し、排温を４３度まで上昇させた。続いて、得られた微粉砕物を分級と機械式衝撃力を用いる表面改質処理を同時に行う装置にて分級及び球形化した。これにより、粒度分布における重量平均粒子径が５．３μｍ以上５．８μｍ以下、このトナー粒子のフロー式粒子像測定装置における円相当径（個数基準）２μｍ以上の粒子の平均円形度が０．９４０以上０．９８０以下のトナー粒子１〜５（分級品）を得た。各トナーの平均円形度、重量平均粒子径を表１に示す。
【０１４３】
【表１】
0005661413.tif 000003
【０１４４】
＜無機粒子（無機微粒子、研磨剤、研磨粒子）＞
実施例に用いる無機粒子を表２に示す。
【０１４５】
【表２】
0005661413.tif 000004
【０１４６】
各無機粒子は公知の製造法にて製造し、数十から数百ｎｍ程度の粒子径となるように結晶成長条件や焼結条件、分級工程などを調節した。尚、使用する無機粒子の形状は全て、円形度が０．９３０以下の非円形粒子である。
【０１４７】
新モース硬度は、無機粒子をペレット化して新モース硬度測定標準物質に擦ることにより測定することができる。
【０１４８】
上記無機粒子は、トナー粒子に０．３質量部ずつ外添することにより、転写残トナー中に含まれる状態でクリーニング部（クリーニング工程）、即ち、クリーニングブレードと感光体との当接部に供給されるようにする。
【０１４９】
＜トナー粒子（外添品）製造例＞
トナー粒子１００質量部に対して、シリカ１００質量部にジメチルシリコーンオイル２０質量部で表面処理した疎水性シリカ（ＢＥＴ＝２２０ｍ2／ｇ）１．５質量部、無機粒子ａ〜ｗ（表２）の中から選んだ２つの無機粒子０．３質量部ずつを、ヘンシェルミキサーＦＭ１０Ｂ（三井三池化工機社製）にて、回転数が６６Ｓ−１、時間が２分の条件で外添して、トナー１〜２７を得た。得られたトナーの外添処方を表３に示す。
【０１５０】
【表３】
0005661413.tif 000005
【０１５１】
＜キャリア製造例＞
実施例及び比較例では、トナーとキャリアによる二成分現像を行うため、樹脂コートフェライトキャリアを以下の方法にて作製した。
【０１５２】
熱硬化性樹脂：熱硬化性フェノール樹脂（硬化温度：１２０℃）
熱可塑性樹脂：フェノールノボラック樹脂（軟化点：１６０℃）
上記２種類の熱硬化性樹脂と熱可塑性樹脂を固形分としてそれぞれ３０質量部と７０質量部の割合で混合した後、メチルセロソルブ溶液で希釈して１０重量％の被覆樹脂溶液を作製した。この被覆樹脂溶液を流動床コーティング装置を用いて平均粒子径４０μｍ、飽和磁化２０ｅｍｕ／ｇの球形フェライト粒子１．５ｋｇにスプレー塗布した。このとき、流動化ベッド室への送風温度を４０℃に設定した。又、このときの撹拌羽根の回転速度は４５０ｒｐｍであり、スプレー条件はスプレーノズルヘの空気圧が３．４ｋｇ／ｃｍ2であり、流量が４８ｌ／ｍｉｎであり、被覆樹脂溶液の供給速度が８．０ｍｌ／ｍｉｎであった。スプレー終了後、得られたキャリアを流動化ベッド室中において、温度１４０℃で２０分間保持して熱硬化性樹脂を硬化させ、樹脂被覆キャリアを得た。
【０１５３】
＜感光体製造例＞
直径６０ｍｍのアルミニウムシリンダーを支持体として、この上にポリアミド樹脂（商品名：アミランＣＭ８０００、東レ製）の５質量％メタノール溶液を浸漬法で塗布し、膜厚が０．５μｍの下引き層を形成した。
【０１５４】
次に、電荷発生材料としてＣｕＫαのＸ線回折における回折角２θ±０．２が２８．１°に最も強いピークを有するヒドロキシガリウムフタロシアニンの結晶３質量部とポリビニルブチラール２質量部をシクロヘキサノン１００質量部に添加し、１ｍｍφガラスビーズを用いたサンドミルで１時間分散し、これにメチルエチルケトン１００質量部を加えて希釈して電荷発生層用塗料を調製し、上記下引き層上に、この電荷発生層用塗料を浸漬塗布し、９０℃で１０分間乾燥して、膜厚０．１７μｍの電荷発生層を形成した。
【０１５５】
次いで、下記化学式（２）の電荷輸送材料化合物７質量部及びポリカーボネート樹脂（ユーピロンＺ４００、三菱エンジニアリングプラスチックス株式会社製）１０質量部を、モノクロロベンゼン１０５質量部及びジクロロメタン３５質量部に溶解した。この溶液を、前記電荷発生層上に浸漬塗布し、１１０℃で１時間熱風乾燥し、膜厚が１３μｍの電荷輸送層を形成した。電荷輸送層の上に更に保護層を形成させた。
【０１５６】
【化２】
0005661413.tif 000006
【０１５７】
実施例では反転現像を用いている。感光体は、直径６０ｍｍのアルミシリンダー上に前述したように３層を重ねた後、表面保護層として下記化学式（３）の電荷輸送性化合物を電子線照射により重合させた化合物を含有する表層を塗工し硬化させた有機感光体である。
【０１５８】
【化３】
0005661413.tif 000007
【０１５９】
この電荷輸送性化合物４５質量部をｎ−プロピルアルコール５５質量部に溶解し、更にテトラフルオロエチレン微粒子（ＰＴＦＥ）を５質量部添加して、高圧分散機（マイクロフルイタイザー、Ｍｉｃｒｏｆｌｕｉｄｉｃｓ社製）にて分散させた表面保護層用塗料を調整した。この塗料を前記４層感光体上に塗布したのち、加速電圧１５０ＫＶ、線量１００ｋＧｙの条件で電子線を照射し、膜厚４μｍの保護層を形成し、感光体を得た。これらの操作により、硬化型樹脂を９０重量％含有する保護層を有する感光体Ａを得た。
【０１６０】
更に、上記化学式（３）の電荷輸送性化合物３０質量部と、下記化学式（４）の電荷輸送性化合物１５質量部をｎ−プロピルアルコール５５質量部に溶解し、更にテトラフルオロエチレン微粒子（ＰＴＦＥ）を５質量部添加して、上記と同様の方法で硬化型樹脂を６０重量％含有する保護層を有する感光体Ｂを得た。
【０１６１】
【化４】
0005661413.tif 000008
【０１６２】
更に、上記化学式（３）の電荷輸送性化合物２５質量部と上記化学式（４）の電荷輸送性化合物２０質量部をｎ−プロピルアルコール５５質量部に溶解し、更にテトラフルオロエチレン微粒子（ＰＴＦＥ）を５質量部添加して、上記と同様の方法で硬化型樹脂を５０重量％含有する保護層を有する感光体Ｃを得た。
【０１６３】
次に、図４に示される粗面化手段により、以下に示す条件で、上記の要領で作成した感光体Ａ〜Ｃの表面の粗面化を行った。
【０１６４】
ラッピングフィルム    研磨砥粒：酸化アルミニウム
基材：ポリエステルフィルム（厚さ：７５μｍ）
ラッピングフィルム送りスピード：５ｍｍ／ｓｅｃ
感光体回転数：２０ｒｐｍ
押し当て圧：１〜４Ｎ／ｍ2
シート及び感光体の回転方向：同方向
バックアップローラは外径：直径４０ｃｍ
バックアップロ−ラアスカーＣ硬度：３０
処理時間：１２０〜１８０秒
研磨条件（ラッピングフィルム中の砥粒）を変えて５段階の粗さの感光体を作製した。塗料処方及び研磨条件の変更により得られた感光体を表４に示す。
【０１６５】
【表４】
0005661413.tif 000009
【０１６６】
＜クリーニング装置＞
クリーニングブレードは１枚の場合と２枚の場合について実施した。
【０１６７】
クリーニングブレードが１枚の場合のクリーニング装置の構成は上述の通りである。クリーニングブレードが１枚の場合、該クリーニングブレードとしてゴム硬度７７度、反発弾性４７％のウレタンゴムブレードを用い、侵入量を変化させて当接面圧及び当接角度を変えて９パターンの設定条件とした。
【０１６８】
図５は、クリーニングブレードが２枚の場合のクリーニング装置の構成を示す。即ち、この場合、クリーニング装置１０７は、クリーニングブレードとして、感光体１０１の表面の移動方向において上流側で感光体１０１に当接する第１クリーニングブレード１０８Ａと、下流側で当接する第２クリーニングブレード１０８Ｂと、を有する。第１、第２クリーニングブレード１０８Ａ、１０８Ｂは、それぞれ板金で形成された支持体の先端部に保持されている。第１、第２クリーニングブレード１０８Ａ、１０８Ｂはそれぞれ、矩形板状の弾性部材である。第１、第２クリーニングブレード１０８Ａ、１０８Ｂは、その長手方向が感光体１０１の長手方向と略平行となるように、短手方向の一方の端部側が支持体の先端部に固定される。そして、その短手方向の他方の端部である自由端が感光体１０１にカウンター方向に当接するように配設される。
【０１６９】
クリーニングブレードが２枚の場合、２枚目のクリーニングブレードに関しては、１枚目のクリーニングブレードの下流側に位置するため、感光体１０１との当接部に到達する外添剤量が少ない。そのため、２枚目のクリーニングブレードと感光体との間の潤滑性が小さくなり易いので、ファーブラシローラ１０９を２枚目のクリーニングブレードと感光体１０１との当接位置の上流に設けて、外添剤が潤滑剤として滞留し易くなるようにしている。ファーブラシローラ１０９は、感光体１０１の回転軸方向と略平行の回転軸を中心として回転し、ブラシ部分が感光体１０１と接触して感光体の表面を摺擦する。
【０１７０】
クリーニングブレードが２枚の場合、１枚目のクリーニングブレードとしては、上記クリーニングブレードが１枚の場合と同じものを用い、侵入量を調整して当接面圧及び当接角度を調整した。又、２枚目のクリーニングブレードとしてはゴム硬度８２度、反発弾性１１％のウレタンゴムブレードを用い、１枚目のクリーニングブレードと同様、侵入量と当接角度を調節し、９パターンの設定とした。
【０１７１】
各クリーニング設定を表５に示す。
【０１７２】
【表５】
0005661413.tif 000010
【０１７３】
＜試験＞
１．評価方法１
キヤノン製複合機ＣＬＣ５０００の改造機（帯電方式を接触ローラ帯電に改造、クリーニング部分を前記の構成に改造、感光体温度制御装置除去、定着オイル除去）にて以下の条件で画像出力評価を行った。
【０１７４】
尚、帯電ローラにはＤＣバイアスにＡＣバイアスを重畳したバイアスを印加し、放電電流が１００μＡとなるようにＡＣバイアスのＶｐｐを設定した。又、試験にはシアンステーションを使用した。
【０１７５】
評価は以下の評価基準で行った。
【０１７６】
＜画像形成中画像流れ＞
評価環境は３０℃８５％Ｒｈである。１ドット２スペース横罫線画像を１枚間欠で１０００枚出力し、初期から１０００枚の間における画像の罫線の細り具合を、２３℃５％Ｒｈ環境の画像と比較して、画像形成中に起こる画像流れを評価した。Ａ、Ｂ、Ｃランクを合格とした。
Ａ：罫線幅の細り１０％未満（見た目画質良好）
Ｂ：罫線幅の細り１０％以上３０％未満（見た目画質ほぼ良好）
Ｃ：罫線幅の細り３０％以上５０％未満（見た目画質少し悪目だが許容レベル）
Ｄ：罫線幅の細り５０％以上（画質が一目見て悪いレベル）
【０１７７】
＜長期放置画像流れ＞
評価環境は３０℃８５％Ｒｈである。画像形成パターンは、画像比率４％の横罫線チャート（Ａ４）とし、これをスキャナに読み込ませ、出力した。１枚間欠で１０万枚出力した後、２４時間放置後の１ドット２スペース横罫線画像を、放置前の画像と比較して評価した。Ａ、Ｂ、Ｃランクを合格とした。
Ａ：罫線幅の細り１０％未満（見た目画質良好）
Ｂ：罫線幅の細り１０％以上３０％未満（見た目画質ほぼ良好）
Ｃ：罫線幅の細り３０％以上５０％未満（見た目画質少し悪目だが許容レベル）
Ｄ：罫線幅の細り５０％以上（画質が一目見て悪いレベル）
【０１７８】
＜感光体微粒子付着＞
評価環境は３０℃８５％Ｒｈである。画像形成パターンは、画像比率４％の横罫線チャートとし、これをスキャナに読み込ませ、出力した。１枚間欠で１０万枚出力した後に、１６階調画像を出力して、感光体の表面の顕微鏡観察とあわせて以下の基準で感光体上の無機粒子Ａの付着について評価した。Ａ、Ｂ、Ｃ、Ｄランクを合格とした。
Ａ：粒子付着はほとんど無く、視覚的に見えず、出力画像に影響ほとんどなし。
Ｂ：顕微鏡で見える粒子付着がわずかにあるが、階調出力画像のハイライト部の一部にのみわずかに帯電ムラが認められる程度（見た目画質良好）
Ｃ：顕微鏡で見える粒子付着はあるが、階調出力画像のハイライト部分にのみ、帯電ムラが見える程度（見た目画質ほぼ良好）
Ｄ：粒子付着が発生し階調出力画像全体に帯電ムラができるが、露光は遮断しないレベル（見た目画質少し悪目だが許容レベル）
Ｅ：粒子付着により露光を遮断されてしまう画像不良が発生（画質が一目見て悪いレベル）
【０１７９】
＜クリーニングブレード欠け＞
高温高湿環境下（３０度８５％Ｒｈ）で、１％比率横罫線画像（Ａ４）を１枚間欠で出力する耐久試験を行った。そして、クリーニングブレードのエッジが磨耗又は破損したことによるトナーのクリーニング不良により出力画像不良が発生するときの画像出力枚数を評価した。Ａ、Ｂ、Ｃランクを合格とした。
Ａ：３０万枚以上問題なし
Ｂ：１０万枚以上３０万枚未満で発生
Ｃ：１万枚以上１０万枚未満で発生
Ｄ：１万枚未満で発生
【０１８０】
＜トナークリーニング性＞
低湿環境下（２３度５％Ｒｈ）で、Ａ４全面ベタ画像を千枚連続出力する耐久試験を行い、クリーニング性能の評価を行った。Ａ、Ｂ、Ｃランクを合格とした。
Ａ：クリーニング不良ほとんどなし、帯電ローラ汚れも良好
Ｂ：クリーニング不良画像なし、帯電ローラトナー汚れあり
Ｃ：５０枚以上千枚未満で、トナーがクリーニングブレードをすり抜けることによる縦線が画像に発生
Ｄ：５０枚未満で、トナーがクリーニングブレードをすり抜けることによる縦線が画像に発生
【０１８１】
＜転写効率＞
高温高湿環境下（３０度８５％Ｒｈ）で画像出力し、感光体上のトナー載り量と紙上のトナー載り量より転写効率を算出した。Ａ、Ｂ、Ｃランクを合格とした。
Ａ：転写効率９２％以上
Ｂ：転写効率８８％以上９２％未満
Ｃ：転写効率８０％以上８８％未満
Ｄ：転写効率８０％未満となり、画質劣化が認識し易くなる
【０１８２】
＜帯電部材汚染＞
低湿環境下（２３度５％Ｒｈ）で連続画像出力を行い、ハーフトーン画像において帯電ローラの外添剤によるスジ汚れに起因する画像不良がはっきり見えたときの画像出力枚数により、帯電部材汚れの評価を行った。Ａ、Ｂ、Ｃ、Ｄランクを合格とした。
Ａ：１００万枚以上問題なし
Ｂ：７５万枚以上１００万枚未満
Ｃ：５０万枚以上７５万枚未満
Ｄ：２０万枚以上５０万枚未満
Ｅ：２０万枚未満
【０１８３】
＜感光体キズ＞
高温高湿環境下（３０度８５％Ｒｈ）で画像比率４％の横罫線チャートを１０万枚出力した後に、感光体の表面のキズの状態を、表面粗さ計にて測定した１０点平均粗さＲｚとキズの観察結果により評価した。Ａ、Ｂ、Ｃランクを合格とした。
Ａ：Ｒｚ変化率２０％未満（深いキズ無く、出力画像ではわからない）
Ｂ：Ｒｚ変化率２０％以上だが１μｍ以上のキズなし（画像への影響ほとんどなし）
Ｃ：１μｍ以上２μｍ未満の深いキズが発生（画像への影響軽微）
Ｄ：２μｍ以上の深いキズが発生（出力画像でキズの影響がみえる）
【０１８４】
＜感光体磨耗＞
高温高湿環境下（３０度８５％Ｒｈ）で画像比率４％の横罫線チャートを５万枚出力した後、感光体の膜厚を干渉膜厚計にて測定して、磨耗量を評価した。Ａ、Ｂ、Ｃランクを合格とした。
Ａ：磨耗量が０．１０μｍ未満（寿命５０万枚以上）
Ｂ：磨耗量が０．１０μｍ以上０．２５μｍ未満（寿命３０万枚クラス）
Ｃ：磨耗量が０．２５μｍ以上０．５０μｍ未満（寿命１５万枚クラス）
Ｄ：磨耗量が０．５０μｍ以上（寿命１０万枚未満レベル）
【０１８５】
実施例１〜９の現像剤、感光体、クリーニングの各条件を表６に示す。トナー番号は表３、感光体番号は表４、クリーニング設定番号は表５にそれぞれ示したものである（以下同じ）。
【０１８６】
【表６】
0005661413.tif 000011
【０１８７】
実施例１〜９の評価結果を表７に示す。
【０１８８】
【表７】
0005661413.tif 000012
【０１８９】
実施例１０〜１８の現像剤、感光体、クリーニングの各条件を表８に示す。
【０１９０】
【表８】
0005661413.tif 000013
【０１９１】
実施例１０〜１８の評価結果を表９に示す。
【０１９２】
【表９】
0005661413.tif 000014
【０１９３】
実施例１９〜２４の現像剤、感光体、クリーニングの各条件を表１０に示す。
【０１９４】
【表１０】
0005661413.tif 000015
【０１９５】
実施例１９〜２４の評価結果を実施例１０の評価結果とあわせて表１１に示す。
【０１９６】
【表１１】
0005661413.tif 000016
【０１９７】
実施例２５〜２８の現像剤、感光体、クリーニングの各条件を表１２に示す。
【０１９８】
【表１２】
0005661413.tif 000017
【０１９９】
実施例２５〜２８の評価結果を実施例１０の評価結果とあわせて表１３に示す。
【０２００】
【表１３】
0005661413.tif 000018
【０２０１】
実施例２９〜３４の現像剤、感光体、クリーニングの各条件を表１４に示す。
【０２０２】
【表１４】
0005661413.tif 000019
【０２０３】
実施例２９〜３４の評価結果を実施例１０の評価結果とあわせて表１５に示す。
【０２０４】
【表１５】
0005661413.tif 000020
【０２０５】
実施例３５〜４３及び比較例１〜８の現像剤、感光体、クリーニングの各条件を表１６に示す。
【０２０６】
【表１６】
0005661413.tif 000021
【０２０７】
実施例３５〜４３及び比較例１〜８の評価結果を実施例１０の評価結果とあわせて表１７に示す。
【０２０８】
【表１７】
0005661413.tif 000022
【０２０９】
実施例１〜３６、４１〜４３は、実施例３７〜４０と比較して、画像形成中に発生する画像流れがより良好となっている。従って、低高度の無機粒子Ａとして炭酸カルシウムを使用することで、より高品質な画像出力を行えることがわかる。
【０２１０】
実施例１〜３４、３７は実施例３５、３６、３８〜４３と比較して、クリーニングブレード欠けが発生し難くなっている。従って、高硬度の無機粒子Ｂとして酸化チタンを用いることで、クリーニングブレードの一層の長寿命化を達成できることがわかる。
【０２１１】
実施例３５、３６、３８〜４０は、実施例１〜３４、３７、４１〜４３と比較して、感光体の表面への低硬度の無機粒子の付着が発生し難くなり、感光体の帯電性均一性が向上している。従って、高硬度の無機微粒子Ｂとして酸化アルミニウムを用いることで、長期使用を通じてより高品質な画像出力を行うことができることがわかる。
【０２１２】
実施例１〜２８、３５〜４３は、実施例３１〜３４と比較して、感光体表面の深いキズが発生し難くなっている。従って、低硬度の無機粒子Ａの個数平均粒子径が、無機粒子Ｂの個数平粒子径の１．２倍以上２．５倍以下であることで、より長期にわたり感光体を良好な状態に維持できることがわかる。これにより、感光体の交換、感光体の研磨によるリフレッシュ化などのメンテナンスの手間を低減することができる。この粒子径の関係では、クリーニングブレードと感光体との当接ニップにおける無機粒子Ｂによる感光体の局部的研磨が、無機粒子Ａのスペーサ効果により緩和されるものと考えられる。
【０２１３】
実施例１〜２６、２９〜４３は、実施例２７、２８と比較して、クリーニング性と転写性の両立が図れている。このように、トナーの平均円経度が０．９５以上０．９７以下であることで、高い転写性を維持した上で、クリーニングブレード近傍におけるトナーの動きが小さくなり、無機粒子の層が乱れることがないことがわかる。これにより、トラブルなどで未転写トナーがクリーニング部に突入した場合にも、良好なクリーニング性を維持できる。
【０２１４】
実施例１〜１８、２５〜４３は、実施例１９〜２４（特に、実施例２１、２２、２４）と比較して、トナーの外添剤や紙粉などの微粒子の感光体への付着が低減されている。従って、感光体の表層に硬化型樹脂を６０重量％以上含有し、感光体の表面の油溜り深さＲｖｋが０．０３μｍ以上０．１０μｍ以下であることで、感光体の帯電ムラや露光不良による画質低下をより抑えることができることが分かる。これは、次のような理由によるものと考えられる。即ち、上述のような感光体では、表層に硬化樹脂を含有することにより、初期の表面形状を維持し易い。そのため、感光体からの良好な微粒子のクリーニング性を維持でき、且つ、表面粗さの溝最深部においても低硬度の無機粒子Ａの高硬度の無機粒子Ｂによる掻き取りが行われ易くなる。
【０２１５】
実施例１〜１４、１９〜４３は、実施例１５〜１８と比較して、長期放置時の画像流れが抑止できている。従って、感光体の静止時におけるクリーニングブレードと感光体との接触ニップ幅が５０μｍ以上１２０μｍ以下、平均当接面圧が０．１Ｎ／ｍｍ2以上０．５Ｎ／ｍｍ2以下であることで、画像形成装置が高湿環境下に長期放置された場合にも、より良好な画像出力を行うことができることがわかる。
【０２１６】
実施例１〜５、３５は、実施例６〜３４、３６〜４３と比較して、感光体に接触する帯電部材の汚染が抑止できている。従って、複数のクリーニングブレードを有し、その内の１つのクリーニングブレードの感光体の静止時における当接ニップ幅が５μｍ以上３０μｍ以下、平均当接面圧が０．３Ｎ／ｍｍ2以上１．０Ｎ／ｍｍ2以下であることで、無機粒子のクリーニング装置からのすり抜けを抑え、感光体に接触ないし近接する部材の汚染を抑止して、装置又は部品の一層の長寿命化を図ることができる。
【０２１７】
２．評価方法２
次に、低硬度の無機粒子Ａと高硬度の無機粒子Ｂとを、クリーニング装置から、クリーニング部に供給する実施例として、キヤノン製複合機ＩｍａｇｅＰＲＥＳＳ  Ｃ７０００ＶＰのブラックステーションを使用した実験を行った。
【０２１８】
使用したＩｍａｇｅＰＲＥＳＳ  Ｃ７０００ＶＰのブラックステーションは、帯電装置をローラ接触帯電に改造し、感光体ヒータを外した。更に、ＩｍａｇｅＰＲＥＳＳ  Ｃ７０００ＶＰの感光体クリーニング装置内におけるクリーニング補助ブラシローラに対して、粒径が約１０μｍのポリエステル樹脂粒子と、低硬度の無機粒子Ａと、高硬度の無機粒子Ｂと、を混合圧縮成形して固形化した部材（固形体）を当接させて設置した。無機粒子Ａ、無機粒子Ｂとしては、表２に示したものをそれぞれ用いた。これらの粒子の混合圧縮成形は、メノウ乳鉢で乾式混合した後、直方体状の型に詰め、プレス機にて８０００ｋｇ／ｃｍ2の圧力を加えて行った。クリーニング補助ブラシローラに当接させる固形体の成形処方を表１８に示す。
【０２１９】
【表１８】
0005661413.tif 000023
【０２２０】
ＩｍａｇｅＰＲＥＳＳ  Ｃ７０００ＶＰの感光体クリーニング装置内におけるクリーニング補助ブラシローラに上記固形体を当接させ、評価方法１と同様の評価モード・評価基準で評価した結果を表１９に示す。
【０２２１】
【表１９】
0005661413.tif 000024
【０２２２】
実施例４４では、無機粒子Ａと無機粒子Ｂとを固形体として、これから各粒子を感光体の表面に塗布する。このような構成でも、画像流れを抑止することができる。この方法によれば、無機粒子をトナーに外添することによる現像性への影響をなくすことが可能である。
【０２２３】
３．評価方法３
次に、アモルファスシリコン感光体を搭載したキヤノン製複合機ｉＲＣ６８００に本発明を適用し、その効果を確認した。
【０２２４】
キヤノン製複合機ｉＲＣ６８００のシアンの現像器には、評価方法１で使用したトナー１、トナー１２、トナー２１、トナー２３を投入した。又、非接触コロナ帯電部材を接触ローラ帯電部材に変更した。又、クリーニングブレードの材料をゴム硬度７０度、反発弾性８％のウレタンゴムとした。又、感光体の内部に設置されたヒータを取り外した。
【０２２５】
評価方法１とほぼ同様の評価モード・評価基準で評価した結果を表２０に示す。但し、アモルファスシリコン感光体は、有機感光体に比べて機械的ストレスに対して１００〜１０００倍程度の長寿命を有する。又、アモルファスシリコン感光体は、感光体の最表層の膜厚を９０００Å程度の薄膜としていることもある。そのため、ここでは、感光体のキズと磨耗量に関してのみ以下の評価基準にて評価した。
【０２２６】
＜感光体キズ＞
高温高湿環境下（３０度８５％Ｒｈ）で画像比率４％の横罫線チャートを１００万枚出力した後に、感光体の表面のキズを調べ、発生したキズのうち最も深いキズの深さを測定した。Ａ、Ｂランクを合格とした。
Ａ：キズ発生が確認されず、出力画像でもわからない
Ｂ：１０００Å以上３０００Å未満のキズが発生（画像への影響極軽微）
Ｃ：３０００Å以上のキズが発生（出力画像でキズの影響がわかり易い）
【０２２７】
＜感光体磨耗＞
高温高湿環境下（３０度８５％Ｒｈ）で画像比率４％の横罫線チャート１００万枚出力した後、感光体の膜厚を干渉膜厚計にて測定して、磨耗量を評価した。Ａ、Ｂランクを合格とした。
Ａ：磨耗量が１０００Å未満（寿命６００万枚以上クラス）
Ｂ：磨耗量が１０００Å以上２０００Å未満（寿命４００万枚クラス）
Ｃ：磨耗量が２０００Å以上（寿命２００万枚以下クラス）
【０２２８】
【表２０】
0005661413.tif 000025
【０２２９】
実施例４５、４６のように、アモルファスシリコン感光体を搭載した画像形成装置においても、本発明による感光体の清掃効果が得られ、感光体やその他の画像形成装置本体の構成によらず、本発明の無機粒子の組合せが効果を発揮することが確認された。又、アモルファスシリコン感光体を搭載した画像形成装置においても、無機粒子Ｂとしての酸化チタン（ルチル）粒子の使用により、感光体の磨耗を低減できる効果があった。又、無機粒子Ｂとしてのアルミナ（酸化アルミニウム）粒子の使用により、感光体の微粒子付着汚染を低減できる効果があった。
【符号の説明】
【０２３０】
１０１      感光体
１０２      帯電ローラ
１０３      露光手段
１０４      現像器
１０５      転写帯電器
１０６      定着装置
１０７      クリーニング装置
【図１】
0005661413.tif 000026
【図２】
0005661413.tif 000027
【図３】
0005661413.tif 000028
【図４】
0005661413.tif 000029
【図５】
0005661413.tif 000030
【図６】
0005661413.tif 000031
【図７】
0005661413.tif 000032
【図８】
0005661413.tif 000033